【手続補正書】
【提出日】平成20年4月16日(2008.4.16)
【手続補正１】
【補正対象書類名】特許請求の範囲
【補正対象項目名】全文
【補正方法】変更
【補正の内容】
【特許請求の範囲】
【請求項１】
ａ．それぞれが１以上のヒンジを有し、弾性を有し、電球に係合する複数の関節式フィンガと、
ｂ．上記複数の関節式フィンガに連結され、該複数の関節式フィンガのサイズを調整するように構成された入れ子式カラーとを備えるカスタマイズ可能な電球交換装置。
【請求項２】
上記複数の関節式フィンガのそれぞれは、先端部を備えることを特徴とする請求項１記載のカスタマイズ可能な電球交換装置。
【請求項３】
上記先端部は、屈曲された形状を有する請求項２記載のカスタマイズ可能な電球交換装置。
【請求項４】
上記先端部は、アーチ状に構成されていることを特徴とする請求項２記載のカスタマイズ可能な電球交換装置。
【請求項５】
上記先端部は、ゴムを備えることを特徴とする請求項２記載のカスタマイズ可能な電球交換装置。
【請求項６】
上記入れ子式カラーは、回転ノブと、特定の電球サイズの設定に対応する複数のマークとを備えることを特徴とする請求項１記載のカスタマイズ可能な電球交換装置。
【請求項７】
上記入れ子式カラー及び複数の関節式フィンガは、絶縁材料からなることを特徴とする請求項１記載のカスタマイズ可能な電球交換装置。
【請求項８】
上記絶縁材料は、プラスチックを含むことを特徴とする請求項１記載のカスタマイズ可能な電球交換装置。
【請求項９】
上記絶縁材料は、ポリマを含むことを特徴とする請求項１記載のカスタマイズ可能な電球交換装置。
【請求項１０】
上記複数の関節式フィンガは、金属からなることを特徴とする請求項１記載のカスタマイズ可能な電球交換装置。
【請求項１１】
上記入れ子式カラーは、アーム部材に着脱可能に連結される相互接続部材を備えることを特徴とする請求項１記載のカスタマイズ可能な電球交換装置。
【請求項１２】
上記アーム部材は、当該カスタマイズ可能な電球交換装置を、電球に係合するための所望の構成に位置決めすることを特徴とする請求項１１記載のカスタマイズ可能な電球交換装置。
【請求項１３】
上記関節式フィンガは、様々なタイプの電球に使用され、該電球は、Ｕ字形タイプ、フラッドライトタイプ、反射鏡タイプ、一般家庭用タイプ、ベントチップ装飾タイプ、魚雷形タイプ、ビーコンランプタイプ、トラックヘッドタイプ、枝付き燭台タイプ、球状タイプ及びコンパクト固定タイプからなるグループから選択されることを特徴とする請求項１記載のカスタマイズ可能な電球交換装置。
【請求項１４】
上記関節式フィンガは、様々なタイプの電球に使用され、該電球は、球状部分及び狭い部分を含み、該狭い部分は、該球状部分より狭いことを特徴とする請求項１記載のカスタマイズ可能な電球交換装置。
【請求項１５】
ａ．電球に係合し、該電球を選択的に差し込み及び抜き取る嵌合カップと、
ｂ．上記嵌合カップに連結される相互接続部材とを備える嵌合型電球交換装置。
【請求項１６】
上記嵌合カップは、パターン化されたリップを備えることを特徴とする請求項１５記載の嵌合型電球交換装置。
【請求項１７】
上記相互接続部材は、上記嵌合カップのサイズを調整するように構成された入れ子式カラーを備えることを特徴とする請求項１５記載の嵌合型電球交換装置。
【請求項１８】
上記相互接続部材は、アーム部材に着脱可能に連結されるように構成されていることを特徴とする請求項１５記載の嵌合型電球交換装置。
【請求項１９】
上記アーム部材は、当該嵌合型電球交換装置を、上記電球に係合する所望の構成に位置決めすることを特徴とする請求項１８記載の嵌合型電球交換装置。
【請求項２０】
上記電球は、Ｕ字形タイプ、フラッドライトタイプ、反射鏡タイプ、一般家庭用タイプ、ベントチップ装飾タイプ、魚雷形タイプ、ビーコンランプタイプ、トラックヘッドタイプ、枝付き燭台タイプ、球状タイプ及びコンパクト固定タイプからなるグループから選択されることを特徴とする請求項１５記載の嵌合型電球交換装置。
【請求項２１】
上記電球は、球状部分及び狭い部分を含み、該狭い部分は、該球状部分より狭いことを特徴とする請求項１５記載の嵌合型電球交換装置。
【請求項２２】
上記嵌合カップ及び相互接続部材は、絶縁材料からなることを特徴とする請求項１５記載の嵌合型電球交換装置。
【請求項２３】
上記絶縁材料は、プラスチックを含むことを特徴とする請求項１５記載の嵌合型電球交換装置。
【請求項２４】
上記絶縁材料は、ポリマを含むことを特徴とする請求項１５記載の嵌合型電球交換装置。
【請求項２５】
ａ．電球に係合し、該電球を選択的に差し込み及び抜き取る嵌合螺旋構造体と、
ｂ．上記嵌合螺旋構造体に連結される相互接続部材とを備える嵌合型電球交換装置。
【請求項２６】
上記相互接続部材は、上記嵌合螺旋構造体のサイズを調整するように構成された入れ子式カラーを備えることを特徴とする請求項２５記載の嵌合型電球交換装置。
【請求項２７】
上記相互接続部材は、アーム部材に着脱可能に連結されるように構成されていることを特徴とする請求項２５記載の嵌合型電球交換装置。
【請求項２８】
上記アーム部材は、当該嵌合型電球交換装置を、上記電球に係合する所望の構成に位置決めすることを特徴とする請求項２７記載の嵌合型電球交換装置。
【請求項２９】
上記電球は、Ｕ字形タイプ、フラッドライトタイプ、反射鏡タイプ、一般家庭用タイプ、ベントチップ装飾タイプ、魚雷形タイプ、ビーコンランプタイプ、トラックヘッドタイプ、枝付き燭台タイプ、球状タイプ及びコンパクト固定タイプからなるグループから選択されることを特徴とする請求項２５記載の嵌合型電球交換装置。
【請求項３０】
上記電球は、球状部分及び狭い部分を含み、該狭い部分は、該球状部分より狭いことを特徴とする請求項２５記載の嵌合型電球交換装置。
【請求項３１】
上記嵌合螺旋構造体及び相互接続部材は、絶縁材料からなることを特徴とする請求項２５記載の嵌合型電球交換装置。
【請求項３２】
上記絶縁材料は、プラスチックを含むことを特徴とする請求項２５記載の嵌合型電球交換装置。
【請求項３３】
上記絶縁材料は、ポリマを含むことを特徴とする請求項２５記載の嵌合型電球交換装置。
【請求項３４】
上記嵌合螺旋構造体及び相互接続部材は、金属からなることを特徴とする請求項２５記載の嵌合型電球交換装置。
【請求項３５】
電球を選択的に差し込み及び抜き取る電球交換装置において、
ａ．寸法調整手段を備え、電球の大きさに応じて、該電球を把握するように、該寸法調整手段によって寸法が調整され、電球を把握する把握手段と、
ｂ．当該電球交換装置を、電球に係合する所望の構成に位置決めするアーム部材に着脱可能に連結される連結手段とを備える電球交換装置。
【請求項３６】
上記把握手段は、様々なタイプの電球に使用され、該電球は、Ｕ字形タイプ、フラッドライトタイプ、反射鏡タイプ、一般家庭用タイプ、ベントチップ装飾タイプ、魚雷形タイプ、ビーコンランプタイプ、トラックヘッドタイプ、枝付き燭台タイプ、球状タイプ及びコンパクト固定タイプからなるグループから選択されることを特徴とする請求項３５記載の電球交換装置。
【請求項３７】
上記把握手段は、複数の関節式フィンガを備え、該複数の関節式フィンガのそれぞれは、１以上のヒンジ及び先端部を備えることを特徴とする請求項３５記載の電球交換装置。
【請求項３８】
上記先端部は、屈曲された形状を有する請求項３７記載の電球交換装置。
【請求項３９】
上記先端部は、アーチ状に構成されていることを特徴とする請求項３７記載の電球交換装置。
【請求項４０】
上記寸法調整手段は、入れ子式カラーを備え、該入れ子式カラーは、回転ノブ及び特定の電球サイズの設定に対応する複数のマークを備えることを特徴とする請求項３５記載の電球交換装置
【請求項４１】
上記電球を把握する把握手段及び連結手段は、絶縁材料からなることを特徴とする請求項３５記載の電球交換装置。
【請求項４２】
上記把握手段は、対応する寸法の電球に係合するように構成された、パターン化されたリップを有する嵌合カップを備えることを特徴とする請求項３５記載の電球交換装置。
【請求項４３】
上記把握手段は、対応する寸法の電球に係合するように構成された、パターン化された嵌合螺旋構造体を備えることを特徴とする請求項３５記載の電球交換装置。